(57)【特許請求の範囲】
【請求項１】
ブロック・シート1はプリーツ・マスク100の素材と同等以上のろ過効率を有する不織布を材料とした、プリーツ・マスク100と同じ寸法のシートで、ブロック・シート1には2本の縦スリット3と１本の横スリット5を有し、スリットとは僅かに接する切れ込み線であり、縦スリット3は中央が中側に膨らんだ弧の形状で、ブロック・シート1の左右両側の相対する位置に設けられ、縦スリット3 の中央には僅かに切れ込みのない縦接合部4があり、また、横スリット5はブロック・シート1の上縁から高さ3/4〜2/3の位置に水平に左右端が縦スリット3に接続して設けられ、横スリット5の中央には10mm〜20 mmの間隔をあけて２か所スリットに僅かに切れ込みのない横接合部6があり、形状保持部材22が横スリット5の上側に横スリット5に沿って接合されていることを特徴とする、プリーツ・マスク用ブロック・シート。 
【請求項２】
請求項１に記載したブロック・シート1の左・右縦スリット3の上下端部に半円形の紐取付部2を設け、その紐取付部2に耳掛け紐21を端部が外を向くように接合したブロック・シート1に同じ寸法のプリーツ・マスク100の不織布部分を接合したことを特徴とするマスク。 
【請求項３】
請求項１に記載のブロック・シート1を耳掛け紐21を有するプリーツ・マスク100に接合したことを特徴とするマスク。 
【請求項４】
請求項２又は請求項３に記載の本マスクにおいて、装着するまでは本マスクの内面をブロック・ シート1が覆った状態を保つことにより、本マスク内面が汚れるのを防止できることを特徴とする マスク。 
【請求項５】
請求項２又は請求項３に記載の本マスクにおいて、装着する前に本マスクの内面を覆うブロッ ク・シート1の縦スリット3と横スリット5の僅かに切れ込みのない縦接合部4と横接合部6を破断してブロック・シート1を4つに分割する手順を必要とし、分割した後では破断した個所を元の状態に戻すことができない構造により、縦接合部4と横接合部6が破断していない本マスクは未使用品 であることを証明できることを特徴とするマスク。 
【請求項６】
請求項２又は請求項３に記載の本マスクを装着する際は、ブロック・シート1の縦スリット3と横スリット5の僅かに切れ込みのない縦接合部4と横接合部6を破断して縦スリット3と横スリット5が連通するようにして、ブロック・シート1を上・下・左・右４つのブロックに分けて、折り線7の位置で上ブロック8を折り返して形状保持部材22を本マスク上縁の位置に合わせ、装着して形状保持部材22を鼻の隆起から上頬の隆起の形状に合わせて顔に密接させると形状保持部材22が本マスク上縁から離間して上ブロック・シート8の断面はV字形となり、その際にV字の開く角度により離間の大きさに合わせることが可能であり、また、V字形の上ブロック・シート8の両側端部はプリーツ・マスク100の上部両端により顔に押し付けられる結果、上ブロック・シート8はV字の袋状をなし、本マスク上縁の開口を通過する呼気は必ず不織布フィルターを素材とする上ブロック・シート8を通過することを特徴とするマスク。 
【請求項７】
請求項２又は請求項３に記載の本マスクを装着してから本マスクのプリーツを下方向に拡げると、マスク側縁は緩いカーブを描いて側縁の外側が顔から離れる方向に向きを変える特性があり、それに連れて内側に膨らみを持つ左ブロック9と右ブロック10のフラップ12が顔の方向に向きを変えて顔に押し付けられるようになり、頬とマスクの間の隙間を塞ぐことを特徴とするマスク。
【請求項８】
請求項２又は請求項３に記載の本マスクにおいて、使用済の本マスクを廃棄する際には装着時に開いていたプリーツを閉じて四角い平板の状態にしてから本マスクの汚染物質が付着している面を内に折り込み、更に折りたたむか丸めるかによりできるだけ小さくして、次に装着時にV 字形状の上ブロック8を拡げて延ばし包むのに十分な長さにしてから小さくした本マスクを包むことにより、有害物質等を他に移したり飛散させたりすることなく廃棄出来ることを特徴とするマスク。
【発明の詳細な説明】
【技術分野】
【０００１】
本発明は、プリーツ・マスクと同じ寸法のブロック・シートをプリーツ・マスク内側に接合して、使用前はブロック・シートがマスク内側を汚染するのを防止でき、また、ブロック・シートを上・下・左・右の４ブロックに分割してから装着する構造にしたことにより、使用に際しては、本マスクが未使用品であることを確認でき、マスクを装着すると生じるマスク上縁と鼻の間の隙間を分割した上ブロックの形状保持部材で塞ぐことができ、また、マスクのプリーツを開くと生じるマスク側縁と頬の間の隙間を左・右ブロックのフラップ部分で塞ぐことができ、使用済みマスクを廃棄する際には、上ブロックがマスクの汚染した部分を包み込んで廃棄できるようにした、ブロック・シート並びにブロック・シートを取り付けたマスクに関する。
【背景技術】
【０００２】
不織布のフィルターを折りたたんで製作するプリーツ・マスクは安価で数多く使用され、薄形で矩形をしており保管や持ち運びに便利である、また、使用するときはプリーツを拡げて使用することで鼻孔及び口の周りを大きく覆うことができ、会話の際には顎の上下動に合わせてプリーツ部分が顎の動きを吸収できるので会話しやすいなどの利点を有する。また、プリーツ・マスクのパッケージは箱に数十枚入っているものや数枚を袋に入れたものが一般的で一枚ずつ個包装されていないものが多くあり、個包装されていないプリーツ・マスクは保管している状態や携行している状態によっては汚れてしまうリスクがある。また、高機能マスク例えば医療用のN95マスクなどは再生技術の裏付けをもとに再生して使用する動きが出始めており、それが、使い捨てのプリーツ・マスクに対しても及ぶ可能性はあり、手軽に使用されるプリーツ・マスクについて当該マスクが未使用品であることを確認する手段を有していれば当プリーツ・マスクを安心して使用できる。また、プリーツ・マスクがN95等の高規格のマスクに対して最も劣っている点は、装着した際にマスクと顔の間に生じる隙間が大きくて漏れが60〜70％とされる点にありN95マスクの1％未満とは大きな差がある。また、医療用のサージカルマスクにはプリーツ・マスクが使われており、さまざまな菌が居る可能性のある医療現場で使用するマスクとしては、漏れを極力少なくしたサージカルマスクはマスクとしての防御に対する信頼を高める。また、プリーツ・マスクは取り扱いについての確立したルールはなく、廃棄する際には可燃ごみとしてごみ箱にポイ捨てされることも多々ある、しかし、使用済マスクには様々な汚染物質が付着している可能性がありビニール袋に入れてから捨てる方法が推奨されているがビニール袋を用意しておくなど煩わしくほとんどそのまま捨てられているのが現状である、従って、捨てる際に汚染を拡散させない手段を有する本マスクは汚染の拡散防止に役立つ。
【０００３】
また、装着した際にマスクと顔との間に生じる隙間による漏れの問題として、例えば空気中に花粉があり吸い込み防止を目的としてマスクを使用する場合、空気中の花粉がマスクを迂回して吸気に入り込んでしまうリスクがあり、また、呼吸器に疾患を持つ人の呼気がマスクにより適切にろ過されずに拡散するリスクが生じる。また、身近な問題として、マスクの隙間から排出する呼気がメガネを曇らせる点があり、この問題をなくすために鼻とマスクの間の隙間を塞ぐ方法についてはいくつか提案されているが、頬とマスクの間に生じる隙間を塞ぐ方法についてはスポンジ等により塞ぐ方法以外に有効な提案がなされていない。
【０００４】
マスクと鼻の間の隙間を塞ぐ方法として、下記特許文献１に見られるように、形状保持部材と称される塑性変形可能な針金類や樹脂部材をマスクの上部に装備し、これを鼻の形に合わせて折り曲げて鼻との隙間を塞ぐようにしたものがある。
【０００５】
また、他の方法として、下記特許文献2に見られるように、マスク上部に切れ目のない拡張した部分を設けて顔面側に折り曲げて装着することにより、マスクと顔面との隙間を狭くして呼気が上方向に漏れないようにするとともに、折り曲げて略逆Ｖ字形の空間を作ることで、呼気が空間に入り上方向に漏れないようにしてメガネが曇るのを防止するようにしたものがある。
【０００６】
さらに、他の方法として、下記特許文献3に見られるように、マスク上部内側に通気性が極めて小さい薄膜片を設け、口、鼻から吐き出された呼気の空気圧を利用して薄膜片を顔に押し付けることにより、薄膜片がマスクと顔面との隙間を塞ぐ方法や、隙間を塞ぐべくマスクの内側上部に適度の伸縮性及び現状復元力を有するスポンジ状閉塞部材を設けたものがある。
【０００７】
さらに、他の方法として、下記特許文献４に見られるように、マスク上縁部内側に形状保持部材付き隙間閉塞シートを設けて、マスクを装着した際に、耳掛け紐の張力が顔面形状に合わせて変形させた形状保持部材の顔面形状を平坦化する力として作用しない構造にして、長時間にわたって形状保持部材が顔面形状を保つことができるようにして、マスクと鼻の隙間を塞ぐようにしたものがある。
【先行技術文献】
【特許文献】
【０００８】
【特許文献１】特開2006-305279
【特許文献２】特開2013-075130
【特許文献３】特開2009-066382
【特許文献４】特開2017-203221
【発明の概要】
【発明が解決しようとする課題】
【０００９】
しかしながら、前記特許文献1,2,3,4に記載している内容はマスクを装着している状態の課題への対策であり、装着前にはマスク内側の顔に接する面が汚染されない技術や、使用に際して未使用品であることが証明できる技術や、使用済みマスクを捨てる際に汚染物質を再飛散させない技術についての記載がない。
【００１０】
また、前記特許文献1,2,4に記載している装着時の顔とマスクの間に生じる隙間の問題を解決する手段については、鼻とマスクの間に生じる隙間を塞ぐ方法についての記載であり、本手段を用いても頬とマスクの間に生じる隙間を塞ぐ方法としては有効ではない。
【００１１】
特許文献１に記載のマスク上縁部に塑性変形可能な形状保持部材を設けて該形状保持部材を顔面形状に合わせて変形させて隙間を塞ぐ法は、コストが安く装着時の圧迫感がない方法であるが、マスクを装着した際、耳掛け紐の張力がマスク上縁部の形状保持材の曲がりを平坦化する力として作用するため、装着後は次第にマスク上縁部と顔の間に隙間が生じてしまう、また、個々で異なる顔の形状に合わせてマスク上縁部に設けた形状保持部材で隙間を塞ぐ方法では、鼻の高さが高いと装着した際に鼻の尖端がマスクに接して鼻の稜線はマスクから離れてしまい、マスク上縁にある形状保持部材を顔に密接させることが難しくなる。更に、マスク内側の顔に接する面が使用する前は清潔に保たれている技術や、未使用品であることが証明できる技術や、マスクを捨てる際に汚染物質を再飛散させない技術についての記載がなく、また、頬とマスクの間に生じる隙間を塞ぐ方法を本文献から想定することは難しい。
【００１２】
前記特許文献２に記載のマスク上部に切れ目のない拡張した部分を設けて顔面側に折り曲げて装着することにより、マスクと顔面との隙間を狭くして呼気が上方向に漏れないようにするとともに、折り曲げて略逆Ｖ字形の空間を作ることで、呼気が空間に入り上方向に漏れないようにしてメガネが曇るのを防止する効果はあるものの、呼気を吸引する際は下方向に入り込むのを防ぐ効果は期待できず、花粉や有害な微粒子を含む環境の中で当該マスクを装着すると花粉や有害な微粒子は隙間から吸気に入り込んでしまうリスクがある。更に、マスク内側の顔に接する面が使用する前は清潔に保たれている技術や、未使用品であることが証明できる技術や、マスクを捨てる際に汚染物質を再飛散させない技術についての記載がなく、また、頬とマスクの間に生じる隙間を塞ぐのは本文献の方法では難しい。
【００１３】
前記特許文献３に記載のマスク上部内側に通気性が極めて小さい薄膜片を設け、口、鼻から吐き出された呼気の空気圧を利用して薄膜片を顔に押し付けることにより、薄膜片がマスクと顔面との隙間を塞ぐ方法においては、呼気を吸引する際は空気圧が逆に作用して薄膜と顔との間に隙間を生じさせてしまうため漏れを防止する効果を期待できず、花粉や有害な微粒子を含む環境の中で当該マスクを装着しても花粉や有害な微粒子は隙間から吸気に入り込んでしまうリスクがある。更に、前記特許文献３に記載の適度の伸縮性および現状復元性を有するスポンジ状閉塞部材を設ける方法では、マスクと鼻および頬の形状が個人で違うため、決まった形状の閉塞材で個々に異なる形状の顔との隙間を確実に塞ぐのが難しく、より確実に塞ぐには閉塞材の厚みを増やした上、顔に強く押し付けなければならず、顔が圧迫され不快であり会話の際に口を動かしにくくなる、また、スポンジ状閉塞部材が顔に接する部分では 汗が蒸発しないで溜まりやすく快適性を損なう。更に、マスク内側の顔に接する面が使用する前は清潔に保たれている技術や、未使用品であることが証明できる技術や、マスクを捨てる際に汚染物質を再飛散させない技術については本文献に記載がない。
【００１４】
前記特許文献4に記載のマスクは、プリーツ型マスクの上縁部内側にメガネ曇り防止用の形状保持部材付き隙間閉塞シートを設けて、マスクを装着した際に、耳掛け紐の張力が形状保持材の曲がりを平坦化する力として作用しない構造にして、顔形状に合わせて変形させた形状保持部材が長時間顔形状を保つことができることを特徴としているが、マスク内側の顔に接する面が使用する前は清潔に保たれている技術や、未使用品であることが証明できる技術や、マスクを捨てる際に汚染物質を再飛散させない技術についての記載がなく、また、頬とマスクの間に生じる隙間を塞ぐのは本文献の方法では難しい。
【課題を解決するための手段】
【００１５】
前記課題を達成すべく、本発明に係るマスクは、不織布フィルターをプリーツ折りしたマスクに、マスクと同じ寸法のブロック・シートを重ね合わせて周囲を接合して一体化して本マスクとすることを特徴とする。
【００１６】
ブロック・シートはプリーツ・マスクと同じ大きさの平板矩形シートでありマスクの内側全面を覆うので、保管時や携行時に本マスク内面が汚れるのを防止できることを特徴とする。
【００１７】
また、本マスクを装着する前に内面を覆うブロック・シートの縦スリットと横スリットの接合部分（僅かに切れ込みのない部分）を破断してブロック・シートを４つに分割する手順を必要とし、分割した後では破断した個所を元の状態に戻すことができない構造により、接合部分が破断していない本マスクは未使用品であることが証明できることを特徴とする。
【００１８】
また、本マスクを装着する際には、縦スリットと横スリットの接合部分（僅かに切れ込みのない部分）を破断して縦スリットと横スリットが連通するようにして、ブロック・シートを上・下・左・右４つのブロックに分けて、上ブロックを折り線の位置で折り返して形状保持部材を本マスク上縁の位置に合わせた後、本マスク上縁を鼻の尖端より30mm程上の位置に装着すると、多くの場合鼻の稜線がマスクに接合するが、個々に違う顔の形状により鼻が高い場合は、鼻の先端がマスクに当接してマスク上縁は鼻筋から離間する傾向が生まれる、この状態で、上ブロックの形状保持部材を鼻の隆起から上頬の隆起に合わせて顔の形に成形すると、形状保持部材は本マスク上縁から離間し、上ブロック・シートは折り返した部分が開いて断面はV字となり、形状保持部材と本マスク上縁が離間して生じる開口部分を、形状保持部材と本マスク上縁を頂点とするV字形状の上ブロック・シートが開口部分の形状に合わせて隙間を塞ぐことを特徴とする。
【００１９】
次に、装着した本マスクのプリーツを下方向に拡げると、本マスク側縁は緩いカーブを描いて側縁の外側が顔から離れる方向に向きを変えて起き上がる特性があり、それに連れて左・右ブロックの中側に10mm程度の膨らみを持つ扁平な弧の部分（フラップ）が顔の方向に向きを変えて顔に押し付けられるようになり、左・右ブロックが頬と本マスクの間の隙間を塞ぐようになることを特徴とする。
【００２０】
また、使用済の本マスクを廃棄する際には、装着しているときに開いていた本マスクのプリーツを閉じて四角い平板の状態にしてから汚染物質が付着している面を内に折り込み、更に折りたたむか丸めるかによりできるだけ小さくして、次に上ブロックの折り返した部分を拡げて十分な長さに延ばしてから小さくした本マスクを包むことにより、花粉等の有害物質を再飛散させることなく本マスクを廃棄出来ることを特徴とする。
【発明の効果】
【００２１】
本発明のブロック・シートはプリーツ・マスクと同じ大きさの平板矩形シートでありプリーツ・マスクの内側全面を覆う形で取り付けられているので、保管時や携行時に本マスクの内側を外部の汚染から防衛することができる。
【００２２】
また、発明の本マスクを使用するには、縦スリットと横スリットの接続部分を破断してブロック・シートを4つに分割する手順が必要であり、破断した接続部分は元の状態に戻すことができないので、接続部分が破断していない本マスクは未使用品であることを証明できる。
【００２３】
また、ブロック・シートを４つに分割した本マスクを装着して、形状保持部材を顔の形状の鼻と上頬の形状に合わせて成形すると上ブロック・シートの断面がV字形になり、顔の形状の違いにより形状保持部材と本マスク上縁の開口の大きさに違いが生じても、上ブロック・シートのV字の開く角度により本マスク上縁と顔の間の開口の大きさに対する調整が可能となり、上ブロック・シートは一方の端が形状保持部材を介して顔に密接し他方の端が本マスク上縁に接合しているので開口を確実に塞ぐことができる。
【００２４】
発明の本マスクを装着した後にマスクのプリーツを下方向に拡げると、本マスクの側縁は緩いカーブを描いて側縁の外側が顔から離れる方向に向きを変えて起き上がる特性があり、それにより本マスクの側縁に接合されている左・右ブロックのフラップ（内側に10mm程度の膨らみを持つ扁平な弧の部分）が顔の方向に向きを変えて顔に押し当り、左・右ブロックが頬と顔の隙間を塞ぐことができる。従って、この部分にスポンジ状閉塞部材を設ける必要がないので顔にマスクを強く押し付ける必要がなく、顔が圧迫されて装着した際に快適性を損なうことがない。また、下縁と顎の間はプリーツ・マスクにおいてはほぼ隙間なく接することができるので、マスクの漏れを小さくできる。
【００２５】
発明の本マスクを装着すると耳掛け紐の張力は左・右ブロックの上・下端部から本マスクの上縁と下縁に作用し、上ブロックに取り付けられている形状保持部材に張力がかることはない、そのため、長時間装着しても耳掛け紐の張力で形状保持部材の曲りが平坦化することはない。
【００２６】
また、使用済の本マスクを捨てる際には本マスクの汚染物質が付着している面を内に折り込み、十分に小さくしてから上ブロックで小さくした本マスクを包んで捨てることにより、花粉等の有害物質を再飛散させることがなく、取り扱う際に安全であることを特徴とする。
【図面の簡単な説明】
【００２７】
【図１】ブロック・シートの正面図である。
【図２】上ブロックを上方に折り返したブロック・シートの正面図である。
【図３】プリーツを拡げた状態の本マスクをブロック・シート側から視た図である。
【図４】装着した状態の本マスクの平面図並びに部分断面図である。
【図５】装着した本マスクの１例を示す縦断面図である。
【図６】使用済本マスクを廃棄する方法を示す図である。
【発明を実施するための形態】
【００２８】
以下、本発明の実施の形態を、図面を参照しながら説明する。
図１は、ブロック・シートの正面図であり、
図２は、上ブロックを上方に折り返したブロック・シートの正面図であり、
図３は、プリーツを拡げた状態の本マスクをブロック・シート側から視た図であり、
図４は、装着した状態の本マスクの平面図並びに部分断面図であり、
図５は、装着した本マスクの１例を示す縦断面図であり、
図６は、使用済本マスクを廃棄する方法を示す図である。
なお、図1はブロック・シート1単体であり、図2〜図6はプリーツ・マスク100をブロック・シート１に接合した本マスク（ブロック・シート付プリーツ・マスク）についての図となる。また、図2は装着前の準備に関する説明図であり、図3〜図5は装着した状態の本マスクの説明図であり、図6は使用後の本マスクの処理に関する説明図である。
【００２９】
図1は、本発明にかかるブロック・シート1を正面から見た図で、ブロック・シート1は薄手で矩形の不織布でありフィルターとしての性能がプリーツ・マスク100と同等かそれ以上の塵埃ろ過性能を有し、通気性はプリーツ・マスク100と同等か多少抵抗が大きい程度の不織布である。そのブロック・シート1には両側部に縦スリット3が施されていて、縦スリット3の上下端部の半円形の紐取付部2には耳掛け紐21が接合される。また、ブロック・シート１の上縁から2/3〜3/4の高さに水平に両端が縦スリット3に接合する横スリット5が施されおり、横スリット5の上側に塑性変形可能な形状保持部材22が接合されている。本ブロック・シート1とプリーツ・マスク100を接合するのは外周接合部101並びに下ブロック接合部102で、その接合方法は超音波により溶着するのが一般的で、接合して本マスクとしている。
【００３０】
次に、ブロック・シート1を4つに分割する点について述べる。ブロック・シート1には2本の縦スリット3と1本の横スリット5が施され、各スリットには所定の位置に僅かにスリットしない部分（接合部）があり、このスリットしていない部分を装着前に破断するとブロック・シート1を4つのブロックに分割できる構造になっている。詳しくは、縦スリット3はブロック・シート1の両側部にあり、中央部が10ｍｍ程度のふくらみを持つ扁平な円弧のスリットと、その円弧スリット両端の半円形スリットで構成され、僅かにスリットしない縦接合部4が中央部分にある。また、横スリット5はブロック・シー1トの上縁から2/3〜3/4の高さにあり両端が縦スリット3に連通する直線状の横スリット5であり、中央部分には2か所10mm〜20mm程度の距離を隔てて僅かにスリットしない横接合部6がある。この、各スリットの僅かにスリットしない部分を横接合部6、縦接合部4の順に切り離すと、スリットが全て連通してブロック・シートは上・下・左・右の4つのブロックに分離する。
【００３１】
図2は、4つに分割されたブロック・シート1の上ブロック8の下辺に接合された形状保持部材22を上ブロック8の中間の高さにある折り線7を介して折り返すと形状保持材22がマスク上縁に重なる状態を示すブロック・シート1の正面図である。
【００３２】
図3は、本発明にかかるブロック・シート1がプリーツ・マスク100に接合され、一体となった本マスクのプリーツを開いた状態を内側から視た図である。上ブロック・シート1の下のA部分がブロック・シート1の開口となる。
【００３３】
図4は、本発明にかかるブロック・シート1がプリーツ・マスク100に接合され、一体となった本マスクのプリーツを拡げた状態のブロック・シート1を上側から見た図である。Ｂはマスクの側縁の断面を示していて、本マスクのプリーツを拡げると左ブロック9、右ブロック10の側縁の外側が顔から離れる方向に向きを変え、それにつれて中側が顔の方向に向く状態を示している、また、側縁の動きにつれて側縁に接合されている左ブロック9、右ブロック10のフラップ12が顔の方向に向きを変て顔に押し当たる状態を示しており、プリーツを開いた状態では頬と本マスクの側縁との間に生じてしまう隙間を左ブロック9、右ブロック10のフラップ12が塞ぐことができる。
【００３４】
図5は、本マスクを装着してから形状保持部材22を鼻の隆起から上頬の隆起に合わせて成形すると鼻の尖端が本マスクの上縁から下がった位置で接し同時に本マスクの上縁は鼻筋から離間する状態を示す図で、顔の形状の違いにより形状保持部材22と本マスク上縁の開口の大きさに違いが生じても、上ブロック・シート8のV字の開く角度により本マスク上縁と顔の間の開口の大きさに対する調整が可能となり、上ブロック・シート8は一方の端が形状保持部材22を介して顔に密接し他方の端が本マスク上縁に接合しているので開口を塞ぐことができる。
【００３５】
図6は、使用済本マスクの側縁を掴んで左右に引いてプリーツを閉じた状態の本マスクを示す左の図と、右の図は本マスクの外側（汚れた側）を内に折りたたみ、更に折りたたんだり丸めて小さくし、その外側を上ブロックシート8で包んだ状態を示す図である。本マスクを使用している状態では本マスクの上部内側にV字形をしている上ブロック・シート8を延ばして、汚れた本マスクを包んで本マスクに付着した花粉などの微粒子が廃棄した後に外部に再飛散しないようにしていることを示す図である。
【実施例】
【００３６】
本マスクを装着するにあたって、本マスクの内面を覆っていたブロック・シート1を４つのブロックに分割する方法について述べる。本マスクの上縁と下縁の中央部分を掴んで上下に引くと、プリーツ・マスク100のプリーツには張力が作用せず、ブロック・シート1には横スリット5の横接合部6にのみ張力が作用して接合を容易に千切ることができる、次に、横スリット5の上側の形状保持部材22部分を上方に持ち上げると縦スリット3の縦接合部4に剪断力が作用して千切れる。縦スリット3と横スリット5の縦接合部分4と横接合部6が破断して縦スリット3と横スリット5が連通することでブロック・シート1が上ブロック8、左ブロック9、右ブロック10、下ブロック11の４つに分割される。
【００３７】
本マスクを装着すると形状保持部材22と本マスクの上縁を頂点とする断面がV字形状の上ブロック・シート8の両側端部はプリーツ・マスク100の上部両端により顔に押し付けられて上ブロック・シート8は袋状をなし、本マスク上縁の開口を通過する呼気は必ず不織布フィルターを素材とする上ブロック・シート8を通過することになり、特に、呼気を吸気する際は上ブロック・シート8はV字形が開いて顔に密接するようになり、確実に呼気はろ過される。
【００３８】
発明の本マスクを装着した後に本マスクのプリーツを下方向に拡げると、本マスクの側縁は緩いカーブを描いて側縁の外側が顔から離れる方向に向きを変えて起き上がる特性があり、それにより本マスクの側縁に接合されている左・右ブロック9・10のフラップ12が顔の方向に向きを変えて顔に押し当り頬と顔の隙間を塞ぐことができる。更に用途によっては、本マスクの起き上がっている両側縁を指で前方に折り返すと左・右ブロック9・10のフラップ12は本マスクの外に出た状態で顔に密接し、呼気の吸排気に対して吸気時は閉・排気時は開となる弁の役割を効果的に使用することができる。
【００３９】
また、ブロック・シート１を4つに分割して、上ブロック8の形状保持部材22を折り線７で折り返してマスク上縁に重ね合わせて本マスクを顔に装着し、形状保持部材を顔に合わせて成形するまでマスク内面に指が触れることがない、また、指が触れるブロック・シート1の上ブロック8と下ブロック11はマスクの上縁と下縁の位置にあり、鼻孔や口に接触することがないので本マスクを装着するまでの間、本マスクを衛生的に扱うことができる。
【００４０】
使用済の本マスクの取り扱いについて述べると、顔から外した使用済本マスクの左右の縦縁を掴んで水平に引いてプリーツを閉じ、本マスクを平らな矩形の形状にし、プリーツと同じ方向に横折りして本マスクの外側（汚れた側）を内に折り込み、更に折りたたんだり丸めるして細長くして、汚れた部分を内に閉じ込めた本マスクの外側に、装着時には本マスクの内側にあって本マスクと鼻の隙間を塞ぐ役割のV字に折りたたまれていた上ブロック8を延ばして包み、耳掛け紐21で縛るまたは両面テープ23で固定して廃棄する。これにより、付着した花粉などの微粒子が再飛散しないようにしてマスクを廃棄できる。  
【産業上の利用可能性】
【００４１】
プリーツ・マスクは、ガーゼや布に比べてろ過性能の高い不織布フィルターを材料として使用していて、生活の中での使用が中心でサージカルマスクとしても実績があり、また、近頃は感染症の拡散防止対策としても有効との評価がある、また、面積が大きく呼吸が楽で利便性があり、呼吸気の保温・保湿を保つ効果がある反面、性能・品質のばらつきが大きくそれを見た目で評価するのは難しい製品であり、更に、呼吸気の漏れについてはN95マスクに比べてかなり見劣りする。漏れに対する改善として、鼻から上頬にかけてマスク上縁との間に生じる隙間に対しては、マスク上部内側に断面がV字形の上ブロック・シートがあり、V字形状の開き具合がさまざまな隙間の大きさ・形状にフレキシブルに対応できて隙間を塞ぐことができる構造であり、また、頬とマスク側縁の間に生じる隙間に対しては、プリーツを拡げると左・右ブロックのフラップが顔に押し付けられて隙間を塞ぐ構造により、今までのプリーツ・マスクの漏れが60〜70%であったのに比べて大きな改善が期待でき、プリーツ・マスクを日用品のレベルから医療用及び産業用として使用できるようになることが期待できる。更に、使用前の本マスクの内側を衛生的に保持でき、また、使用に際して切断した接合部は一旦切断すると元通りに復元ができないので未使用品であることが確実に判別できるので安全・衛生面に信頼性が増す。また、使用後はブロックシートがマスクの汚染した部分を包み込んで捕集した粒子を拡散することなく廃棄することができるマスクである。このように、本ブロック・シート付プリーツ・マスクは一般用としての使い易さはそのままにして、ガーゼマスクや布マスクに比べて花粉やインフルエンザ対策としての有効性が期待できる。また、本マスクにはブロック・シートがあることが性能・品質・安全・衛生面の信頼性を担保できるので他のプリーツ・マスクとの差別化が可能である。
【符号の説明】
【００４２】
１      ブロック・シート
２      紐取付部
３      縦スリット
４      縦接合部（僅かに切れ込みのない部分）
５      横スリット
６      横接合部（僅かに切れ込みのない部分）
７      折り線
８      上ブロック（シート）
９      左ブロック（シート）
１０    右ブロック（シート）
１１    下ブロック（シート）
１２    フラップ（中側に10mm程度の膨らみを持つ扁平な弧の部分）
２１    耳掛け紐
２２    形状保持部材
２３    両面テープ
１００  プリーツ・マスクまたはプリーツ・マスクの不織布部分
１０１  外周接合部
１０２  下ブロック接合部
Ａ      開口部
Ｂ      縦縁断面
Ｃ      装着時V字形の上ブロック・シート
【要約】      （修正有）【課題】使用前にはマスク内面が汚れるのを防止し、装着の際にはマスクが未使用であることを証明でき、使用時にはマスクと顔の隙間を塞ぎ、マスクを捨てる際には汚染物の再飛散を防止できるプリーツ・マスク用ブロック・シートを提供する。【解決手段】プリーツ・マスクの素材と同程度以上の塵埃ろ過能力を有する不織布を材料とし、プリーツ・マスクと略同じ寸法にしたシートに、縦接続部４と横接続部６を含む縦スリット３及び横スリット５を設け、所定の位置に形状保持部材２２を接合し、ブロック・シート１とする。【選択図】図１【図１】
0006884934.tif 000002
【図２】
0006884934.tif 000003
【図３】
0006884934.tif 000004
【図４】
0006884934.tif 000005
【図５】
0006884934.tif 000006
【図６】
0006884934.tif 000007